(57)【特許請求の範囲】
【請求項１】
木質のパネル本体の裏側に設けた薄い凹部内に、正の抵抗温度特性をもった面状ヒータが装着され、該面状ヒータの裏側が裏板で覆われ、建築物の根太上に貼り付け施工する床暖房パネルにおいて、
該裏板で覆われた該パネル本体裏面の該薄い凹部の端部にリード線接続用凹部が設けられ、該リード線接続用凹部内に面状ヒータのリード線接続部が配設され、該リード線接続用凹部の裏側に開口部が設けられ、該リード線接続部にはリード線が該面状ヒータの電極部にハトメを用いて固着され、該リード線接続部に接続されたリード線は該開口部を通して該パネル本体の裏側に引き出され、該リード線の先端が前記根太にそって配設された電源ケーブルに接続されることを特徴とする床暖房パネル。
【請求項２】
前記リード線の先端にピン端子が固定され、前記電源ケーブルに電源接続器が接続され、該電源接続器には２系統のリード線用の端子部が設けられ、該電源接続器の該各端子部には近傍に位置する２枚の床暖房パネルの面状ヒータにおける各リード線のピン端子が接続されることを特徴とする請求項１記載の床暖房パネル。
【発明の詳細な説明】
【０００１】
【発明の属する技術分野】
本発明は、面状ヒータを内蔵した床暖房パネルに関し、特に面状ヒータの配線工事やその保守点検を容易にした床暖房パネルに関する。
【０００２】
【従来の技術】
面状ヒータを内蔵した床暖房パネルは、従来より各種の構造のものが開発され、建築物の暖房用の床材として使用されているが、基本的には、木質パネル本体の裏側に設けた薄い凹部内に、面状ヒータが装着され、その面状ヒータの裏側を裏板で覆って形成される。面状ヒータには電源ケーブルを接続する必要があるが、そのために、従来の床暖房パネルでは、電源接続用コネクタをパネル本体内に埋設し、床暖房パネルを建築物の床部に敷設施工する際、隣接する床暖房パネルの電源接続用コネクタに接続ケーブルのコネクタを接続しながら、床暖房パネルを床部に貼り付けていく（例えば、特開平１１−２７０８６５号公報参照）。
【０００３】
【発明が解決しようとする課題】
しかし、近年、この種の床暖房パネルでは、床部の施工上の理由から、厚さの薄いものが使用される傾向にあり、パネル本体の厚さも薄くなっているため、そこに面状ヒータの収納される凹部を形成すると、凹部の上のパネル本体自体の厚さは、薄くなる。そのうえ、比較的厚さの厚い電源接続用コネクタがパネル本体内に埋設された場合、その部分のパネル本体自体の厚さは、非常に薄いものとなる。このため、床暖房パネルの上から大きな荷重がかかった場合、パネルが割れる恐れが生じていた。
【０００４】
また、床暖房パネルの内側にコネクタ部が配設された場合、そのコネクタ部の表裏面は蓋板で閉じて接着されるが、コネクタ部で電気的な接触不良等が発生し、動作不良が生じた場合、修理が非常に難しく、床暖房パネルを外していくと、パネル本体が破損し、床暖房パネルの大部分の交換が必要となり、修理費用も増大する問題があった。
【０００５】
本発明は、上記の点に鑑みてなされたもので、施工時の電源ケーブルの接続を容易に行ない、パネル本体の破損を防止できると共に、保守点検を簡単に行なうことができる床暖房パネルを提供することを目的とする。
【０００６】
【課題を解決するための手段】
上記目的を達成するために、本発明の床暖房パネルは、木質のパネル本体の裏側に設けた薄い凹部内に、正の抵抗温度特性をもった面状ヒータが装着され、面状ヒータの裏側が裏板で覆われ、建築物の根太上に貼り付け施工する床暖房パネルにおいて、裏板で覆われたパネル本体裏面の薄い凹部の端部にリード線接続用凹部が設けられ、リード線接続用凹部内に面状ヒータのリード線接続部が配設され、リード線接続用凹部の裏側に開口部が設けられ、リード線接続部にはリード線が面状ヒータの電極部にハトメを用いて固着され、リード線接続部に接続されたリード線は開口部を通してパネル本体の裏側に引き出され、リード線の先端が根太にそって配設された電源ケーブルに接続されて構成される。
【０００７】
ここで、リード線の先端にピン端子を固定し、電源ケーブルに電源接続器を接続し、電源接続器には２系統のリード線用の端子部を設け、近傍に位置する２枚の床暖房パネルの面状ヒータにおける各リード線のピン端子を、各端子部に接続するように構成することができる。
【０００８】
【作用】
このような構成の床暖房パネルは、建築物の根太上に貼り付け施工されるが、予め、電源ケーブルと電源接続器が根太の側部等にそって配線される。その後、根太上に各床暖房パネルを、釘や接着剤を使用して順に貼り付けていくが、このようなパネルの貼り付けは大工工事として行ない、その後、電気工事として床下で、パネル本体の裏面の開口部から引き出されたリード線の先端を、最短距離の電源接続器のリード線用の端子部に差し込み、接続する。このように、大工工事と電気工事を完全に分離して行なうことにより、工期の短縮を図ることができる。
【０００９】
暖房機能が故障した場合、或は床暖房設備を保守点検する場合、点検者が建築物の床下に入り、根太に沿って配設された電源ケーブル、電源接続器、及びパネル本体の裏面に開口した開口部内のリード線接続部を点検し、必要な箇所を修理することができる。このため、床暖房パネルを剥さなくても、修理・点検を容易に行なうことができ、安価にまた容易に修理・点検を行なうことができる。
【００１０】
【発明の実施の形態】
以下、本発明の実施の形態を図面に基づいて説明する。図１は床暖房パネルの底面図を示し、図２はその長手方向の拡大断面図を示している。この床暖房パネルは、木質パネル本体１の裏側に設けた薄いシート状の凹部１１内に、面状ヒータ２が装着され、その面状ヒータ２の裏側を裏板３で覆って形成される。
【００１１】
パネル本体１は耐熱性の木質板材から形成され、その裏側に面状ヒータ２を収納するための凹部１１が例えば３mmの深さで形成され、その凹部１１内の端部中央に、リード線接続用凹部１２及び温度ヒューズ用凹部１３が形成される。この凹部１２、１３の深さは、上記凹部１１の２倍程度の深さではあるが、例えば５mm〜６mm程度と非常に浅いものである。パネル本体１の上面には、化粧合板等の表面層が形成され、側縁部には、凹状と凸状のサネ１４が形成され、敷設時の嵌合組み付けを可能としている。
【００１２】
凹部１１に収納される面状ヒータ２は、正の抵抗温度特性をもったヒータであり、例えばチタン酸バリウム系の半導体ヒータから形成される。また、面状ヒータ２は、そのヒータ本体を絶縁性の合成樹脂シートで密封被覆して非常に薄いシート状にし、端部に電極を取付けた構造を有し、通電時、例えば７０℃以下の設定温度で安定するような加熱温度特性を有している。この面状ヒータ２の端部の電極部には、リード線２１が接続される。リード線２１の端部には環状の圧着端子が固定され、その圧着端子を面状ヒータ２の端部にハトメにより固着する。このリード線２１の圧着端子が固着されるヒータ上のリード線接続部２２は、ブチルゴムにより被覆され、その上に絶縁カバーが被せられ、その上から保護テープを貼り付けて、防水性を持った絶縁構造としている。
【００１３】
このリード線接続部２２は、パネル本体１の凹部１１内のリード線接続用凹部１２（深さ５〜６mm）内に配設される。温度ヒューズ２３が面状ヒータ２の表面に接着され、この温度ヒューズ２３はパネル本体１の凹部１１内の素子用凹部１３内に配設される。温度センサとしてサーミスタ素子を装着する場合、この凹部１３内に配設する。サーミスタ素子のリード線は、上記リード線接続用凹部１２からヒータのリード線と共に外部に引き出される。サーミスタ素子は、床暖房の温度制御に使用されるもので、全ての床暖房パネルに装着する必要はなく、一部のパネルに装着される。
【００１４】
このような面状ヒータ２は、パネル本体１の凹部１１内に収納され、その裏側（下側）から裏板３が凹部１１上に被せられ、接着等により固定され、面状ヒータ２が装着される。裏板３は凹部１１の長さより短く形成され、凹部１１の先端側に開口部４が形成され、この開口部４からリード線２１が裏側に露出し、引き出される。この開口部４が設けられることにより、リード線接続部２２の点検が容易にできる。リード線２１の先端には、図７に示すように、ピン端子２５が固着される。このピン端子２５は後述の電源接続器３０に差し込み接続可能に形成される。
【００１５】
このように構成された床暖房パネルは、例えば、木造住宅の床材として敷設され、図５、図６のように、土台や大引き間にかけ渡して配設された根太３２の上に、接着剤や釘を用いてズラシ貼り施工などにより床貼りを行なう。床下には、図５〜図７に示すように、予め電源接続器３０が、各床暖房パネルのリード線接続部２２付近を通る根太３２の側部に、取り付けられる。
【００１６】
この電源接続器３０は、電源ケーブル３１の端部を挿入して接続するための端子部を両側に２系統有すると共に、面状ヒータ２のリード線２１を接続する端子部を両側に２系統設けて構成される。電源側の各端子とリード線側の各端子は内部で接続され、リード線２１側の端子部は、リード線２１の先端に取り付けたピン端子２５をその端子部に差し込むことにより、引き抜きを阻止して接続される構造である。
【００１７】
根太３２の側部に、床暖房パネルの略２倍の幅の間隔で、リード線接続部２２に沿って配置し取り付けられた電源接続器３０には、電源ケーブル３１が接続され、各電源接続器３０は電源ケーブル３１により接続される。電源ケーブル３１やリード線２１が根太３２を横断する場合、根太３２の横断方向に孔を穿設しその孔にケーブル等を通して配線することができる。
【００１８】
その後、根太３２上に床暖房パネルを釘や接着剤を使用して順に貼り付けていくが、このとき、パネル本体１の裏面の開口部４から引き出されたリード線２１の先端のピン端子２５を、図６、図７のように、最短距離の電源接続器３０のリード線用の端子部に差し込み、接続する。電源接続器３０のリード線用の端子部は逆止片を内蔵し、差し込まれたピン端子２５の引き抜きを阻止してこれを保持する。
【００１９】
このようにして、床暖房パネルを根太３２上に順に貼り付け施工した状態で、床貼りは完了し、使用に際しては、電源接続器３０に電源ケーブル３１を介して交流電流が供給され、面状ヒータ２が発熱してパネル本体１を暖め、床上を暖房する。
【００２０】
暖房機能が故障した場合、或は床暖房設備を保守点検する場合、点検者が建築物の床下に入り、根太３２に沿って配設された電源ケーブル３１、電源接続器３０、及びパネル本体１の裏面に開口した開口部４内のリード線接続部２２を点検し、必要な箇所を修理することができる。このため、床暖房パネルを剥さなくても、修理・点検を容易に行なうことができ、安価にまた容易に修理・点検を行なうことができる。
【００２１】
【発明の効果】
以上説明したように、この発明の床暖房パネルによれば、裏板で覆われたパネル本体裏面の薄い凹部の端部にリード線接続用凹部が設けられ、リード線接続用凹部内に面状ヒータのリード線接続部が配設され、リード線接続用凹部の裏側に開口部が設けられ、リード線接続部にはリード線が面状ヒータの電極部にハトメを用いて固着され、リード線接続部に接続されたリード線が開口部を通してパネル本体の裏側に引き出され、リード線の先端が根太にそって配設された電源ケーブルに接続されるように構成したから、面状ヒータの電源接続を容易に行なうことができると共に、保守点検や故障の修理を、床暖房パネルを剥さずに、床下から容易に行なうことができる。また、パネル本体内ではなく外部に電源接続器を配設するようにできるから、パネル本体の厚さを充分にとることができ、パネル本体の破損を防止することができる。また、開口部の内側に面状ヒータのリード線接続部が設けられると共に、リード線接続部に接続されたリード線が開口部を通してパネル本体の裏側に引き出されるから、リード線接続部の熱を開口部を通して良好に発散させることができ、リード線接続部の点検・修理も、開口部から容易に行なうことができる。さらに、リード線接続用凹部内に面状ヒータのリード線接続部が配設され、リード線接続用凹部の裏側に開口部が設けられるので、リード線接続部の点検や修理作業が非常にし易く、また、リード線接続部にはリード線が面状ヒータの電極部にハトメを用いて固着されるので、リード線交換の必要がある場合、リード線接続部からリード線を容易に取り外して、簡単に交換修理を行うことができる。
【図面の簡単な説明】
【図１】本発明の一実施形態を示す床暖房パネルの裏面図である。
【図２】図１のII-II 線拡大断面図である。
【図３】パネル本体１の表面図である。
【図４】パネル本体１の裏面図である。
【図５】根太上に貼り付けた床暖房パネルの横断方向の拡大断面図である。
【図６】床の根太上に配設された床暖房パネルの裏面側からの底面図である。
【図７】電源接続器の接続状態を示す斜視図である。
【符号の説明】
１−パネル本体
２−面状ヒータ
３−裏板
４−開口部
２２−リード線接続部
２５−ピン端子
３０−電源接続器
３１−電源ケーブル
【図１】
0004220636.tif 000002
【図２】
0004220636.tif 000003
【図３】
0004220636.tif 000004
【図４】
0004220636.tif 000005
【図５】
0004220636.tif 000006
【図６】
0004220636.tif 000007
【図７】
0004220636.tif 000008